(57)【要約】【課題】接続された機器に応じて必要となる撮像装置の設定条件の変更を簡単にすることができる撮像装置及びその設定変更方法を提供する。【解決手段】外部ストロボが接続部に装着されると（ステップＳ７１）、制御部は、外部ストロボが通信可能か否かを判別し（ステップＳ７２）、外部ストロボが通信可能である場合、次に専用の外部ストロボか否かを判別する（ステップＳ７３）。ステップＳ７３において外部ストロボが専用のものである場合、専用の外部ストロボを用いた撮影モードに切り替える（ステップＳ７４）。ステップＳ７２において外部ストロボが通信可能でない場合、制御部は、内蔵ストロボを使用するか否かを表示部に表示し、ユーザに選択を促す（ステップＳ７５）。【選択図】図７
2006064763.tif 000002
【特許請求の範囲】
【請求項１】
撮像のための補助機能を有する機器を接続可能な撮像装置において、
使用者によって動作指示が入力される指示入力手段と、
上記機器を接続する接続部と、
上記接続部に接続された機器を検出する機器検出手段と、
上記機器検出手段にて検出された機器に応じた当該撮像装置の設定情報を表示する表示手段と、
上記表示手段に表示された設定情報に対して上記指示入力手段から入力された動作指示に応じて設定を変更する設定変更手段と
を備えることを特徴とする撮像装置。
【請求項２】
上記接続部は、複数の切り欠き及び接点を有し、
上記機器検出手段は、上記複数の切り欠き及び接点に基づいて機器の種類を検出し、
上記表示手段は、上記機器検出手段にて検出された機器の種類に応じた選択肢を表示することを特徴とする請求項１記載の撮像装置。
【請求項３】
上記機器は、外部ストロボであることを特徴とする請求項１記載の撮像装置。
【請求項４】
内蔵ストロボをさらに備え、
上記表示手段は、上記機器検出手段で検出された外部ストロボの種類に応じて、上記内蔵ストロボ及び／又は外部ストロボの使用についての設定情報を表示することを特徴とする請求項３記載の撮像装置。
【請求項５】
撮像のための補助機能を有する機器を接続可能な撮像装置の設定変更方法において、
上記撮像装置に接続された機器を検出する機器検出工程と、
上記機器検出工程にて検出された機器に応じた上記撮像装置の設定情報を表示する表示工程と、
上記表示工程に表示された設定情報に対して使用者から入力された動作指示に応じて設定を変更する設定変更工程と
を有することを特徴とする撮像装置の設定変更方法。
【発明の詳細な説明】
【技術分野】
【０００１】
本発明は、撮像のための補助機能を有する機器を接続可能な撮像装置及びその設定変更方法に関し、特に、当該撮像装置に接続される周辺機器に応じて撮像上の各種設定を変更する撮像装置及びその設定変更方法に関する。
【背景技術】
【０００２】
近年、内蔵ストロボを有していても、外部ストロボを装着可能な撮像装置が種々提案されている。しかし、外部ストロボが装着された撮像装置において、例えば、ユーザが意図していない内蔵ストロボ装置が発光してしまうこともあった。また、内蔵ストロボがポップアップした際、機構上、装着された外部ストロボに干渉することがあった。
【０００３】
このような問題に対して、特許文献１では特定の撮影モードを設定することにより内蔵ストロの発光を禁止しており、また、特許文献２では外部ストロボの装着を検出し、内蔵ストロボをポップアップさせる電磁駆動部の通電を禁止して問題の解決を図っている。
【０００４】
【特許文献１】特許第２８２９９１７号公報
【特許文献２】特許第３０３７２５６号公報
【発明の開示】
【発明が解決しようとする課題】
【０００５】
しかしながら、特許文献１及び特許文献２に記載の技術では、装着された外部ストロボのバッテリが切れた場合や特定の条件で内蔵ストロボだけを使用したい場合には、外部ストロボを外さなければ、内蔵ストロボを使用できないことがあった。
【０００６】
また、近年では、カメラ機能の向上とともに、動画機能に対応するマイクや遠隔操作に対応するリモートコントローラなどの外部ストロボ以外の機器を接続可能な撮像装置が登場しているが、機器と撮像装置の撮影条件の設定は煩わしく、操作ミスを誘発してしまっていた。
【０００７】
本発明は、このような従来の実情に鑑みて提案されたものであり、接続された機器に応じて必要となる撮像装置の設定条件の変更を容易にすることができる撮像装置及びその設定変更方法を提供することを目的とする。
【課題を解決するための手段】
【０００８】
そこで、上述した目的を達成するために、本発明に係る撮像装置は、撮像のための補助機能を有する機器を接続可能な撮像装置において、使用者によって動作指示が入力される指示入力手段と、上記機器を接続する接続部と、上記接続部に接続された機器を検出する機器検出手段と、上記機器検出手段にて検出された機器に応じた当該撮像装置の設定情報を表示する表示手段と、上記表示手段に表示された設定情報に対して上記指示入力手段から入力された動作指示に応じて設定を変更する設定変更手段とを備えることを特徴としている。
【０００９】
また、本発明に係る撮像装置の設定変更方法は、撮像のための補助機能を有する機器を接続可能な撮像装置の設定変更方法において、上記撮像装置に接続された機器を検出する機器検出工程と、上記機器検出工程にて検出された機器に応じた上記撮像装置の設定情報を表示する表示工程と、上記表示工程に表示された設定情報に対して使用者から入力された動作指示に応じて設定を変更する設定変更工程とを有することを特徴としている。
【発明の効果】
【００１０】
本発明に係る撮像装置及びその設定変更方法によれば、接続部に接続された機器を検出し、検出した機器に応じた設定情報をユーザに対して表示し、ユーザから入力された動作指示に応じて設定を変更するので、操作にかかる手間を省くことができる。
【発明を実施するための最良の形態】
【００１１】
以下、本発明を適用した具体的な実施の形態について、図面を参照しながら詳細に説明する。具体例として示す撮像装置は、撮像のための補助機能を有する機器を接続可能な撮像装置であって、接続された機器を検出する機器検出手段における検出結果に応じた撮像装置の設定情報を優先的に表示し、表示された設定情報に対して入力された動作指示に応じて設定を変更することによって、ユーザにとって設定の変更又は選択が容易に行うことができるものである。
【００１２】
撮像装置としては、具体的には、感光フィルムを使用するフィルムカメラ、被写体画像をディジタルデータとして記録するいわゆるディジタルカメラ等が挙げられる。また、撮像のための補助機能を有する機器としては、外部ストロボ、赤外補助光、マイクロホン、リモートコントローラ等が挙げられる。
【００１３】
図１〜図３は、撮像装置１の外観図である。撮像装置１は、図１に示すようにレンズ２と、内蔵ストロボ３と、マイク４とを有している。以下では、レンズ２に光が入射する面を正面とする。また、図２に示すように撮像装置１の背面には、ファインダ５と、撮像画面又は設定画面を表示する表示部６と、選択・決定ボタン７とを有している。また、図３に示すように撮像装置１の上面には、ファインダ８と、機器を接続する接続部９と、スピーカ１０と、各種設定を表示する設定表示部１１と、撮影モードを選択するモードダイヤル１２とを有している。
【００１４】
内蔵ストロボ３は、キセノン管、反射傘、フレネル、トリガコイルなどを有し、ポップアップ、ダウンが可能なものである。ポップアップ機構には、モータを使用しても、プランジャ、ばね、フックなどを使用した係留機構を用いてもよい。なお、内蔵ストロボ３自身が影になり、撮影画像の周辺部が暗くなるケラレの問題がなければ、ポップアップ可能である必要はない。
表示部６は、例えば、液晶（ＬＣＤ：Liquid Crystal Display）モニタからなり、撮像画像や各種設定などの設定情報を表示する。ユーザは、この表示部６に表示された画面に基づいて例えば選択・決定ボタン７を操作することにより各種設定を決定する。
【００１５】
接続部９は、図４に示すように検出スイッチ２１と、ストロボ接点２２と、通信接点２３と、検出接点２４とを有している。検出スイッチ２１は、切り欠きを用いて機器を電気的に検出する。ストロボ接点２２は、主に外部ストロボ装置により使用される。通信接点２３は、撮像装置１とその撮像装置１専用の機器とが通信するためのものであり、検出接点２４は、撮像装置１専用の機器を検出するものである。このような接続部９によれば、機器の種類を、切り欠きを有する検出スイッチ２１を用いて認識することができる。また、撮像装置１専用の機器においては、検出スイッチ２１、通信接点２３及び検出接点２４の何れを用いても種類を認識することができる。
【００１６】
設定表示部１１は、例えば、液晶表示パネルからなり、シャッタスピード値、セルフタイマモード、フラッシュモード、バッテリ残量、絞り値、撮影可能枚数などを表示する。
【００１７】
モードダイヤル１２は、例えば、セルフタイマモードやフラッシュモードなどの撮影モードを手動で切り替えることができる。
【００１８】
続いて、撮像装置１の構成について図５を用いて説明する。撮像装置１は、レンズ２等の光学系３１と、光学系３１を駆動する駆動部３２と、マイク４に対応する音声入力部３３と、スピーカ１０に対応する音声出力部３４と、選択・決定ボタン７、モードダイヤル１２等に対応する入力部３５と、接続部９を介して機器４０を検出する検出部３６と、表示部６に対応する表示装置３７と、これらを統括的に制御するＣＰＵ（Central Processing Unit）等からなる制御部３８とを備えている。
【００１９】
制御部３８は、接続された機器４０を判別し、接続された機器に応じて変更が必要になる撮像装置１の設定を行うための操作画面を提示する処理を行う。例えば、機器が外部ストロボの場合、内蔵ストロボ３の使用、不使用を選択する選択画面を提示する。
【００２０】
図６は、撮像装置１に接続可能な機器４０である外部ストロボ５０を示す外観図である。この外部ストロボ５０は、発光部５１と、接続部５２とを有している。接続部５２には切り欠きが設けられており、図４に示す検出スイッチ２１の切り欠きと合致するように構成されている。このように接続部５２の切り欠きと検出スイッチ２１の切り欠きによって、撮像装置１は、機器４０の種類を電気的な接点を用いて認識するだけでなく、切り欠きの物理的構造によっても認識可能となる。
【００２１】
次に、撮像装置１が機器４０に応じた選択画面を表示する処理について図７に示すフローチャートを用いて説明する。本例では、撮像のための補助機能を有する機器４０として外部ストロボ５０を用いた場合について説明する。
【００２２】
外部ストロボ５０が撮像装置１の接続部９に装着されると（ステップＳ７１）、制御部３８は、検出スイッチ２１、通信接点２３及び検出接点２４を用いて外部ストロボ５０が通信可能か否かを判別する（ステップＳ７２）。ステップＳ７２において外部ストロボ５０が通信可能である場合、制御部３８は、撮像装置１に専用の外部ストロボ５０か否かを判別する（ステップＳ７３）。ステップＳ７３において外部ストロボ５０が撮像装置１に専用のものである場合、制御部３８は、通信接点２３を用いた通信によってその外部ストロボ５０の種類を判別し、専用の外部ストロボ５０を用いた撮影モードに切り替える（ステップＳ７４）。
【００２３】
この専用の外部ストロボ５０を用いた撮影モードにおいて、外部ストロボ５０が内蔵ストロボ３と同時発光可能な場合でも、制御部３８は、専用の外部ストロボ５０を用いずに内蔵ストロボ３のみを用いる内蔵ストロボ撮影と、外部ストロボ５０のみを用いる外部ストロボ撮影と、内蔵ストロボ３及び外部ストロボ５０を用いて同時発光させる同時発光撮影とをユーザが選択できるように表示部６に表示する。これにより、ユーザは、意図した設定状態で撮影を行うことができる。
【００２４】
なお、外部ストロボ５０が同時発光不可能な場合は、同時発光撮影の選択肢は表示しない。また、外部ストロボ５０が同時発光専用の場合は、同時発光撮影のみを選択肢として表示する。このように、通信可能な専用の外部ストロボ５０が装着されると、通信によって最適な選択肢をユーザに提供することができる。
【００２５】
ステップＳ７２において外部ストロボ５０が通信可能でない場合、制御部３８は、内蔵ストロボ３を使用するか否かを表示部６に表示し、ユーザに選択を促す（ステップＳ７５）。ユーザは、例えば選択・決定ボタン７を用いて内蔵ストロボ３を使用するか否かについて選択を行う。
【００２６】
ステップＳ７５において内蔵ストロボ３の使用が選択された場合、制御部３８は、内蔵ストロボ３を用いた撮影モードに切り替える（ステップＳ７６）。また、ステップＳ７３において制御部３８が専用の外部ストロボ５０ではないと判断した場合も、内蔵ストロボ３を用いた撮影モードに切り替える（ステップＳ７６）。
【００２７】
この内蔵ストロボ３を用いた撮影モードでも、内蔵ストロボ３のみを用いる内蔵ストロボ撮影と、外部ストロボ５０を用いる外部ストロボ撮影と、内蔵ストロボ３及び外部ストロボ５０を用いて同時発光させる同時発光撮影とが選択肢として表示される。これにより、ユーザは、意図した設定状態で撮影を行うことができる。
【００２８】
ここで、例えば、通信可能であるが専用でない外部ストロボ５０が装着された場合、同時発光は調光不可能なことが多いが、ステップＳ７６で切り替えられた内蔵ストロボ３を用いた撮影モードにも、同時発光撮影の選択肢を用意している。なお、同時発光撮影が選択された場合には、ユーザに対し調光できない可能性があることについて注意を促すことが好ましい。
【００２９】
ステップＳ７５において内蔵ストロボ３の使用が選択されなかった場合、Ｘ接点を用いた撮影モードに切り替える（ステップＳ７７）。
【００３０】
このＸ接点を用いた撮影モードは、内蔵ストロボ３の使用を禁止して外部ストロボ５０のみを用いる外部ストロボ撮影である。Ｘ接点は、外部ストロボ５０と同調させるためのシンクロ接点であって、図４に示すストロボ接点に対応している。
【００３１】
このような撮像装置１によれば、外部ストロボ５０の装着時に内蔵ストロボ３及び外部ストロボ５０の使用についてユーザに的確に表示し、選択させることができるので、外部ストロボ５０の脱着操作により使用するか否かを決定する手間を省くことができる。また、外部ストロボ５０の装着によりユーザの意図に反する撮像状態に強制的に切り替えられることもない。
【００３２】
なお、機器４０が撮像装置の電源がオフのときに装着された場合は、次に電源をオンしたときに使用するか否かの選択肢が表示される。
【００３３】
次に、外部ストロボ５０を取り外した場合の表示画面について説明する。内蔵ストロボ３の使用を禁止して外部ストロボ５０のみを使用している場合、表示部６には図８に示すような画面が表示される。すなわち、内蔵ストロボ３の電源はオフされている。ここで、被写体８１が表示された画面には、外部ストロボ５０を使用していることを意味する「ＥＸＴ」が一部領域８２に表示される。そして、外部ストロボ５０を取り外した場合、撮影モードはそのまま保持され、図９に示すように被写体９１が表示された画面には内蔵ストロボ３の使用を禁止していることを表すマークが一部領域９２に表示される。このように、外部ストロボ５０を取り外した場合、画面の一部領域８２の外部ストロボ発光を示す表示から内蔵ストロボ禁止を示す表示に変えること、すなわち同じ設定モードでも表示を変えることにより、ユーザは機器４０の設定状態を速やかに理解することができる。
【００３４】
なお、外部ストロボ５０を取り外した場合、撮影モードは変えないこととして説明したが、外部ストロボ５０の装着以前の撮影モードに切り替えてもよい。また、この切り替えは、機器４０の種類に応じて行うようにしてもよい。また、取り外した際に撮像モードの選択をユーザに対して促すようにしてもよい。
【００３５】
次に、撮像のための補助機能を有する機器４０として外部ストロボ５０以外を装着したときの処理について説明する。なお、以下では、撮像装置１の専用の機器４０が接続部９に接続されたこととして説明する。
【００３６】
図１０は、赤外光補助光装置を装着時の撮像装置１の動作を示すフローチャートである。赤外光補助光装置が装着されると（ステップＳ１０１）、制御部３８は、接続部９の検出スイッチ２１、通信接点２３及び検出接点２４の何れかを用いて赤外光補助光装置を認識し、夜間撮影モードに切り替える（ステップＳ１０２）。この際の画面は、外部ストロボ５０が装着されたときの画面とは背景色等が異なるものである。
【００３７】
夜間撮影モードでは、ユーザに対し内蔵ストロボ３を使用するか否かを促す（ステップＳ１０３）。内蔵ストロボ３の使用が選択された場合、制御部３８は、赤外照射により低照度時でもフォーカス機能を利用し、画像記録時には内蔵ストロボ３の発光で撮影する夜間フレーミング撮影に切り替える（ステップＳ１０４）。また、内蔵ストロボ３の使用が選択されなかった場合、制御部３８は、赤外照射によりフォーカス機能を利用した夜間撮影に切り替える（ステップＳ１０５）。
【００３８】
図１１は、録音装置を装着時の撮像装置１の動作を示すフローチャートである。録音装置が装着されると（ステップＳ１１１）、制御部３８は、接続部９の検出スイッチ２１、通信接点２３及び検出接点２４の何れかを用いて録音装置を認識し、録音モードに切り替える（ステップＳ１１２）。録音モードでは、動画モードと静止画モードとを選択することができる。ステップＳ１１３において、動画モードが選択された場合、制御部３８は録音装置のチャンネル数を認識し、そのチャンネルに応じたモードの設定を行う。先ず、録音装置がサラウンドマイクか否かを判別し（ステップＳ１１４）、録音装置がサウンドマイクの場合は、サラウンドモードに切り替える。また、ステップＳ１１４において、録音装置がサラウンドマイクではない場合、ステレオマイクか否かを判別する（ステップＳ１１６）。ステップＳ１１６において、録音装置がステレオマイクの場合は、ステレオモードへ切り替え（ステップＳ１１７）、ステレオマイクでない場合は、モノラルモードへ切り替える（ステップＳ１１８）。また、ステップＳ１１３において、動画モードが選択さなかった場合は、静止画モードに切り替える（ステップＳ１１９）。なお、静止画モードにおいても、録音するか否かをユーザに対し促すようにしてもよい。そして、録音する場合、ステップＳ１１４〜Ｓ１１８と同様の方法でモードを切り替えればよい。
【００３９】
また、上述の説明では、制御部３８が録音装置の種類を判別してモードを切り替えることとしたが、ユーザにモードの選択肢を選択させるようにしてもよい。すなわち、サラウンドマイクの場合は、サラウンドモード、ステレオモード及びモノラルモードから選択させ、ステレオマイクの場合は、ステレオモード及びモノラルモードから選択させるようにする。
【００４０】
また、接続部９以外の入出力端子に装着された機器を検出し、ユーザに撮影モードを選択させるようにしてもよい。例えば，リモートコントローラが装着された場合、セルフタイマモードに切り替えられ、タイマの時間設定をする画面が表示部６に表示される。
【００４１】
また、三脚が装着された場合、例えば、記念撮影モードやシャッタスピードが遅いモードを選択肢として提示するようにしてもよい。
【００４２】
このように本実施の形態の撮像装置１は、装着された機器４０に応じて必要となる設定を行うための設定情報をユーザに提示するので、ユーザは選択肢を選択するだけで、最適な設定状態を得ることができる。これにより、外部ストロボ５０の脱着操作により使用するか否かを決定して、意図する撮影状態にしなくてもよい。また、外部ストロボ５０の装着によりユーザの意図に反する撮像状態に強制的に切り替えられることもない。
【００４３】
また、装着された機器４０に応じて表示画面が異なるため、ユーザは即座に撮像装置１の状態を判断することができる。
【図面の簡単な説明】
【００４４】
【図１】本実施の形態における撮像装置の前面を示す外観図である。
【図２】本実施の形態における撮像装置の背面を示す外観図である。
【図３】本実施の形態における撮像装置の上面を示す外観図である。
【図４】本実施の形態における接続部を示す外観斜視図である。
【図５】本実施の形態における撮像装置の内部構成を示すブロック図である。
【図６】本実施の形態における外部ストロボ装置の外観斜視図である。
【図７】外部ストロボ装置の装着時における撮像装置の動作を示すフローチャートである。
【図８】表示画面例を示す図である。
【図９】表示画面例を示す図である。
【図１０】赤外光補助光装置の装着時における撮像装置の動作を示すフローチャートである。
【図１１】録音装置の装着時における撮像装置の動作を示すフローチャートである。
【符号の説明】
【００４５】
１    撮像装置、  ２    レンズ、  ３    内蔵ストロボ、  ４    マイク、  ５    ファインダ、  ６    表示部、  ７    選択・決定ボタン、  ８    シャッタボタン、  ９    接続部、  １０    スピーカ、  １１    設定表示部、  １２    モードダイヤル、  ２１    検出スイッチ、  ２２    ストロボ接点、  ２３    通信接点、  ２４    検出接点、  ３１    光学系、  ３２    駆動部、  ３３    音声入力部、  ３４    音声出力部、  ３５    入力部、  ３６    検出部、  ３７    表示装置、  ３８    制御部、  ４０    機器、  ５０    外部ストロボ、  ５１    発光部、  ５２    接続部
【図１】
2006064763.tif 000003
【図２】
2006064763.tif 000004
【図３】
2006064763.tif 000005
【図４】
2006064763.tif 000006
【図５】
2006064763.tif 000007
【図６】
2006064763.tif 000008
【図７】
2006064763.tif 000009
【図８】
2006064763.tif 000010
【図９】
2006064763.tif 000011
【図１０】
2006064763.tif 000012
【図１１】
2006064763.tif 000013